(57)【要約】【課題】ＯＰＣを行う際、ＰＣＡ領域を有効に使用し、ＯＰＣの実行回数を増大させることのできる光ディスク装置及びその制御方法を提供する。【解決手段】ＯＰＣにおけるＴＩＬＴ／ＦＢＡＬ調整において、調整に相応しい記録状態がＰＣＡ領域に有るかどうかを調査し、有ればその記録領域を用いてＴＩＬＴ／ＦＢＡＬ調整し、無ければ新たにデータを記録し、その記録されたデータを用いてＴＩＬＴ／ＦＢＡＬ調整することによって、ＰＣＡ領域の消費を削減し、ＰＣＡ領域を有効に使用することができ、ＯＰＣの実行回数を増大させることができる。【選択図】図４
2009289353.tif 000002
【特許請求の範囲】
【請求項１】
記録型光ディスクにレーザ光を照射してデータを記録する記録手段と、
前記記録手段によって記録されたデータを再生し再生信号を生成する再生手段と、
前記記録手段によって前記記録型光ディスクの試し書き領域に前記レーザ光の記録パワ
ーを変化させてデータを記録し、該試し書き領域の再生信号に基づいて最適な記録パワー
を決定する制御部と、
前記再生手段によって生成された再生信号からβ値を測定するβ値測定手段とを有し、
前記制御部は、前記試し書き領域の内部に前記β値が所定の長さ以上において略一定で
ある領域の有無を判別し前記β値が前記所定の長さ以上において略一定である領域が有っ
たとき、該領域においてフォーカスバランス調整とチルト調整の両方またはいずれか一方
を行うことを特徴とする光ディスク装置。
【請求項２】
前記制御部は、前記試し書き領域の内部に前記β値が所定の長さ以上において略一定で
ある領域の有無を判別し前記β値が前記所定の長さ以上において略一定である領域が無か
ったとき、前記記録手段によって前記試し書き領域の内部に前記β値が前記所定の長さ以
上において略一定となるようにデータを記録し、該領域においてフォーカスバランス調整
とチルト調整の両方またはいずれか一方を行うことを特徴とする請求項１記載の光ディス
ク装置。
【請求項３】
記録型光ディスクにレーザ光を照射してデータを記録する記録手段と、
前記記録手段によって記録されたデータを再生し再生信号を生成する再生手段と、
前記記録手段によって前記記録型光ディスクの試し書き領域に前記レーザ光の記録パワ
ーを変化させてデータを記録し、該試し書き領域の再生信号に基づいて最適な記録パワー
を決定する制御部と、
前記再生手段によって生成された再生信号からβ値を測定するβ値測定手段とを有する
光ディスク装置の制御方法であって、
前記制御部は、前記試し書き領域の内部に前記β値が所定の長さ以上において略一定で
ある領域の有無を判別し前記β値が前記所定の長さ以上において略一定である領域が有っ
たとき、該領域においてフォーカスバランス調整とチルト調整の両方またはいずれか一方
を行うことを特徴とする光ディスク装置の制御方法。
【請求項４】
前記制御部は、前記試し書き領域の内部に前記β値が所定の長さ以上において略一定で
ある領域の有無を判別し前記β値が前記所定の長さ以上において略一定である領域が無か
ったとき、前記記録手段によって前記試し書き領域の内部に前記β値が前記所定の長さ以
上において略一定となるようにデータを記録し、該領域においてフォーカスバランス調整
とチルト調整の両方またはいずれか一方を行うことを特徴とする請求項３記載の光ディス
ク装置の制御方法。
【発明の詳細な説明】
【技術分野】
【０００１】
本発明は、ＣＤ系、ＤＶＤ系、ＢＤ系あるいはＨＤ ＤＶＤ系などの光ディスクを扱う
光ディスク装置に関する。
【背景技術】
【０００２】
ＣＤ（Compact Disc）規格やＤＶＤ（Digital Versatile Disk）規格と呼ばれる複数種
類の記録密度の光ディスクが既に広く普及しているが、近年、青紫色の波長のレーザ光を
用いて情報を記録することにより、さらに記録密度が高められた超高密度光ディスクであ
るＢＤ(Blu-ray Disc)規格やＨＤ ＤＶＤ(High Definition Digital Versatile Disk)規
格の光ディスクも実用化されている。
【０００３】
上記光ディスクの中で記録可能な光ディスクに対してデータを記録する場合には、適切
な記録パワーで記録する必要がある。このため、光ディスクのＰＣＡ（Power calibratio
n area）に試し書きを行い、このデータを再生し、最適な記録パワーを決定する処理が行
われ、この一連の処理はＯＰＣ（Optimum Power Control）と呼ばれている。ＯＰＣは、
光ディスク装置の動作環境、搭載された光ディスクの状態、記録速度などで変化するので
、最適な記録パワーを実際の記録動作環境に近い条件で決定するために、記録開始前に実
行されることが多い。
【０００４】
ＯＰＣの具体的な方法の一つとして、ＰＣＡに記録パワーを数段階或いは十数段階に亘
って変化させながら、ランダムパターン（ランダムデータ）や定型パターンのデータを記
録し、記録されたデータを再生して、β値またはエラーレート、または各種波形データを
評価し、それぞれの指標に基づいた演算方法によって、最適な記録パワーを決定する方法
がある。
【０００５】
光ディスクのＰＣＡ領域は光ディスクのデータ領域より内側の内周部あるいデータ領域
より外側の外周部に配置されているが、この領域はデータ領域に比較して大きくない。例
えば、記録型ＤＶＤの中で書き換え型であるＤＶＤ−ＲＷ（Rewritable）／ＲＡＭ（Rand
om Access Memory）は、何度も試し書きをすると記録パワーが大きい場合には、記録膜が
劣化する恐れがある。記録膜が劣化すると正しい記録パワーが判定できなくなり、品質の
よい記録ができなくなる可能性があるために、このような問題を解決する提案がなされて
いる。（例えば特許文献１参照。）
【０００６】
特許文献１では、レーザパワーを複数段階で変化させて光ディスクのＰＣＡ領域に試し
書きをする際、レーザパワーの変化パターンを２種類用意し、交互に使用することによっ
て、試し書きによるダメージが大きなセクタが固定しないようにして、ＯＰＣを行なうこ
とが可能な回数を増大し、データの書換え可能回数を増大させるというものである。
【特許文献１】特開２００７−１１５３４１号公報
【発明の開示】
【発明が解決しようとする課題】
【０００７】
記録型ＤＶＤ、記録型ＨＤ ＤＶＤの中でも１度だけ書きこみが行える追記型のＤＶＤ
−Ｒ（Recordable）、ＨＤ ＤＶＤ−Ｒでは、書き換えができないため、ＯＰＣを何度も
行うとＰＣＡ領域を使い尽くしてしまうことになる。したがってＯＰＣを効率的におこな
うことによって試し書き領域の消費を抑制し、ＰＣＡ領域を有効に使用し、ＯＰＣの実行
回数を増大させる必要がある。
【０００８】
本発明は上記したような事情に鑑み成されたものであって、ＯＰＣを行う際、ＰＣＡ領
域を有効に使用し、ＯＰＣの実行回数を増大させることのできる光ディスク装置及びその
制御方法を提供することを目的とする。
【課題を解決するための手段】
【０００９】
上記目的を達成するために、本発明の光ディスク装置は、記録型光ディスクにレーザ光
を照射してデータを記録する記録手段と、前記記録手段によって記録されたデータを再生
し再生信号を生成する再生手段と、前記記録手段によって前記記録型光ディスクの試し書
き領域に前記レーザ光の記録パワーを変化させてデータを記録し、該試し書き領域の再生
信号に基づいて最適な記録パワーを決定する制御部と、前記再生手段によって生成された
再生信号からβ値を測定するβ値測定手段とを有し、前記制御部は、前記試し書き領域の
内部に前記β値が所定の長さ以上において略一定である領域の有無を判別し前記β値が前
記所定の長さ以上において略一定である領域が有ったとき、該領域においてフォーカスバ
ランス調整とチルト調整の両方またはいずれか一方を行うことを特徴とする。
【００１０】
また、本発明の光ディスク装置の制御方法は、記録型光ディスクにレーザ光を照射して
データを記録する記録手段と、前記記録手段によって記録されたデータを再生し再生信号
を生成する再生手段と、前記記録手段によって前記記録型光ディスクの試し書き領域に前
記レーザ光の記録パワーを変化させてデータを記録し、該試し書き領域の再生信号に基づ
いて最適な記録パワーを決定する制御部と、前記再生手段によって生成された再生信号か
らβ値を測定するβ値測定手段とを有する光ディスク装置の制御方法であって、前記制御
部は、前記試し書き領域の内部に前記β値が所定の長さ以上において略一定である領域の
有無を判別し前記β値が前記所定の長さ以上において略一定である領域が有ったとき、該
領域においてフォーカスバランス調整とチルト調整の両方またはいずれか一方を行うこと
を特徴とする。
【発明の効果】
【００１１】
本発明によれば、ＯＰＣを行う際、ＰＣＡ領域の消費を抑制してＰＣＡ領域を有効に使
用し、ＯＰＣの実行回数を増大させることができる。
【発明を実施するための最良の形態】
【００１２】
本発明の実施例について図面を参照しながら説明する。図１は、本発明の実施例に係る
光ディスク装置を示すブロック図である。光ディスク２はＣＤ系、ＤＶＤ系、ＢＤ系、ま
たはＨＤ ＤＶＤ系の再生専用型または記録型光ディスクである。例えばＤＶＤ系では、
再生専用型のＤＶＤ−Ｖｉｄｅｏ、ＤＶＤ−ＲＯＭ(Read Only Memory)、記録型のＤＶＤ
−Ｒ（Recordable）／ＲＷ（Rewritable）／ＲＡＭ（Random Access Memory）等がある。
光ディスク２はディスクモータ３によって回転駆動される。ディスクモータ３はディスク
モータ制御回路４によって制御されている。
【００１３】
光ディスク２に対する情報の記録、再生は、光ピックアップ５によって行われる。光ピ
ックアップ５には、対物レンズ６が設けられており、対物レンズ６はフォーカシングアク
チュエータ７の駆動によりフォーカスシング方向（レンズの光軸方向）への移動が可能で
、またトラッキングアクチュエータ８の駆動によりトラッキング方向（レンズの光軸と直
交する方向で光ディスクの径方向）への移動が可能である。
【００１４】
記録データ生成回路９は情報記録時にホスト装置２８からインターフェース回路２７を
介して供給されるデータにエラー訂正コードを付加し、同期コードなどをつけて記録フォ
ーマットの形式に変更し、さらに変調し、変調されたデータをレーザ制御回路１０へ提供
する。レーザ制御回路１０は情報記録時（マーク形成時）に、記録データ生成回路９から
供給されるデータに基づいて、書き込み用信号を光ピックアップ５内のレーザダイオード
１１に供給する。
【００１５】
レーザダイオード１１は、波長が約７８０ｎｍ（nano meter）のＣＤ用のレーザダイオ
ード１１ａ、波長が約６５０ｎｍのＤＶＤ用のレーザダイオード１１ｂ、波長が約４０５
ｎｍのＢＤ用またはＨＤ ＤＶＤ用のレーザダイオード１１cがあり、光ディスク装置に装
着された光ディスクの種類によって使い分けられ、レーザ制御回路１０から供給される信
号に応じて選択されてレーザ光を出射する。
【００１６】
レーザダイオード１１から発せられるレーザ光は、光学部１２、対物レンズ６を介して
光ディスク２上に照射される。レーザダイオード１１から発せられるレーザ光の光ディス
ク２からの反射光は、対物レンズ６、光学部１２を介して光検出器１３に導かれる。光検
出器１３からの出力信号は、ＲＦアンプ１６へ供給される。
【００１７】
光ピックアップ５の対物レンズ６を通るレーザ光の光軸に対して光ディスク２の記録面
が、光ディスク２の反りや面振れのために傾斜した場合には、光検出器１３の出力信号か
ら生成されるデータ再生信号（ＲＦ信号）やプッシュプル信号（ＰＰ信号）の大きさが小
さくなり、相対的にノイズが増大し、ジッタ増大の原因となる。それを回避するため、対
物レンズ６の傾きを調整するチルト機構１４が設けられている。チルト機構１４は光ピッ
クアップ５に搭載されている。
【００１８】
レーザ光モニタ検出器１５は、半導体レーザダイオード１１が発生するレーザ光の一部
を光学部品１２内にある図示しないハーフミラーから一定比率だけ分岐し、照射パワーに
略比例した受光信号を検出し、検出された受光信号をレーザ制御回路１０へ供給する。レ
ーザ制御回路１０はレーザ光モニタ検出器１５から供給された受光信号を取得し、取得さ
れた受光信号に基づいて、制御部であるＣＰＵ（Central Processing Unit）２４により
予め設定された再生時の再生パワー（照射パワー）、記録時の記録パワー、及び消去時の
消去パワーで発光するように半導体レーザダイオード１１を制御する。
【００１９】
ＲＦアンプ１６は、光検出器１３からの検出信号を処理し、ジャストフォーカスからの
誤差を示すフォーカスエラー信号（ＦＥ信号）、レーザ光のビームスポット中心とトラッ
ク中心との誤差を示すトラッキングエラー信号（ＴＥ信号）、及び再生信号（ＲＦ信号）
を生成し、生成されたＦＥ信号、ＴＥ信号、及びＲＦ信号をＡ／Ｄ変換器１７に供給する
。ＲＦアンプ１６は、光検出器１３からの検出信号を処理する際、使用されるレーザダイ
オード１１の種類に応じて信号を生成する時のパラメータをそれぞれの適切な値に設定し
て上記信号を生成する。Ａ／Ｄ変換器１７から出力された信号はバス２３を介してＣＰＵ
（Central Processing Unit）２４等に供給される。さらにＲＦアンプ１６は、β値測定
回路１９にＲＦ信号を供給する。
【００２０】
フォーカス・トラッキング・チルト制御回路１８は、Ａ／Ｄ変換器１７から供給された
ＦＥ信号及びＴＥ信号に応じてフォーカス制御信号及びトラッキング制御信号を生成し、
フォーカシングアクチュエータ７及びトラッキングアクチュエータ８に出力し対物レンズ
６を駆動する。これにより、レーザ光が光ディスク２の情報記録面上に常時ジャストフォ
ーカスとなるフォーカシングサーボ、及びレーザ光が光ディスク２上に形成されたトラッ
ク上を常にトレースするトラッキングサーボが行われる。
【００２１】
またフォーカス・トラッキング・チルト制御回路１８はＡ／Ｄ変換器１７から得られる
ＲＦ信号の大きさによってチルト機構１４を制御し、光ディスク２の記録面の傾斜に対物
レンズ６の光軸を適切な値に傾斜させる。
【００２２】
ＲＦ信号は、Ａ／Ｄ変換器１７でデジタル信号に変換されチャネルビットのデータとし
てＰＬＬ回路２０に供給される。ＰＬＬ回路２０は、Ａ／Ｄ変換器１７から供給されるデ
ータからデータに同期したクロックとチャネルビット単位のチャネルデータ信号を生成し
、データ再生回路２１に出力する。データ再生回路２１ではフォーマットを解読して、チ
ャネルデータ信号を復調してバイトデータを再生し、再生された再生データはエラー訂正
回路２２へ出力される。エラー訂正回路２２では再生データを付与されているエラー訂正
コードを用いてエラー訂正を行った後、インターフェース回路２７を介してホスト装置２
８に出力される。
【００２３】
β値測定回路１９は、ＲＦ信号をＡＣ結合したときのエンベロープのピーク電圧を複数
個所サンプリングして平均値を算出し、またＲＦ信号のエンベロープのボトム電圧につい
ても複数個所サンプリングして平均値を算出し、それらの平均値に基づいてβ値を測定す
る。
【００２４】
ディスクモータ制御回路４、記録データ生成回路９，レーザ制御回路１０、Ａ／Ｄ変換
回路１７、フォーカス・トラッキング・チルト制御回路１８、β値測定回路１９、ＰＬＬ
回路２０、データ再生回路２１、エラー訂正回路２２等は、バス２３を介して制御部であ
るＣＰＵ（Central Processing Unit）２４によって制御される。
【００２５】
ＣＰＵ２４はインターフェース回路２７を介してホスト装置２８から供給される動作コ
マンドに従って、この光ディスク記録再生装置１を総合的に制御する。また、ＣＰＵ２４
は、ＲＡＭ（Random Access Memory）２５を記録再生時のバッファメモリ等の作業エリア
として使用し、ＲＯＭ（Read Only Memory）２６に記憶されたプログラムに従った所定の
制御を行う。
【００２６】
ＣＰＵ２４は、記録データ生成回路９、レーザ制御回路１０、光ピックアップ５などに
よって構成される記録手段によって光ディスク２の試し書き領域にレーザ光の記録パワー
を変化させてデータを記録し、この試し書き領域にレーザ光の記録パワーを変化させて記
録されたデータを、光ピックアップ５、ＲＦアンプ１６、Ａ／Ｄ変換回路１７などによっ
て構成される再生手段によって得られる再生信号に基づいて最適な記録パワーを決定する
記録パワー決定手段２４ａの機能を有する。
【００２７】
ＣＰＵ２４は、ホスト装置２８から記録系の動作を含むコマンドを受信するとＯＰＣを
実行する。または、光ディスク装置１に光ディスク２が装填され、初期動作として光ディ
スク２の判別後に光ディスク２が記録型であればＯＰＣを実行する場合もある。
【００２８】
図２は、ＯＰＣを実行するときのＰＣＡ領域の使用状態の一例を示す図である。図２（
ａ）は、例えばＨＤ ＤＶＤのＰＣＡ領域の始端のＰＢＡ（Physical Block Address）と
終端を示している。図の右端が始端であり、１回目のＯＰＣは始端から試し書きを開始す
る様子を示している。図２（ｂ）は1回目のＯＰＣで消費する試し書き領域（ＰＣＡ領域
）を示している。１回のＯＰＣは、例えばラフＯＰＣ、ＴＩＬＴ（チルト）／ＦＢＡＬ（
Focus Balance、フォーカスバランス）調整、ファインＯＰＣ調整の３段階に分けて行わ
れる。
【００２９】
ラフＯＰＣとは光ディスクに予め記録されている推奨記録パワーまたは光ディスク装置
１が記憶している推奨記録パワーを中心として数％（パーセント）毎にプラス側とマイナ
ス側にそれぞれ数段階に亘って記録パワーを変化させながら、エリア１−１に全部で２Ｅ
ＣＣブロック試し書きする。記録した後でこのデータを読み出し、再生データからラフＯ
ＰＣにおける記録パワーの最適値を一旦決定する。最適記録パワーの判定には、ＲＦ信号
振幅値の大きさ、ＰＰ（Push Pull）信号の大きさ、β値等種々のパラメータがあり、光
ディスク装置の特性や光ディスクの種類によって適切なパラメータを選択すればよい。
【００３０】
ラフＯＰＣの後で２段階のＴＩＬＴ／ＦＢＡＬ調整に移る。ラフＯＰＣで一旦決定され
た記録パワーを用いて、一定の記録パワーで２ＥＣＣブロックのデータをエリア１−２に
記録する。記録した後でこのデータを読み出し、再生データを使ってＴＩＬＴ／ＦＢＡＬ
調整を行う。ＴＩＬＴ調整は、対物レンズ６の傾きを例えば光ディスクのラジアル方向に
プラス側とマイナス側にそれぞれ振って、例えばＲＦ信号振幅が最大となる傾きを決定す
るものである。ＴＩＬＴ調整は、ＣＰＵ２４がフォーカス・トラッキング・チルト制御回
路１８を介してチルト機構１４を制御して実行される。
【００３１】
フォーカスバランスとは、光検出器１３からのＦＥ信号において、光検出器１３の４分
割された受光素子の信号の対角和の大きさのバランスをいい、フォーカスバランス調整（
ＦＢＡＬ調整）はこれらのオフセット量を調整するものである。なお、ＴＩＬＴ調整とＦ
ＢＡＬ調整については、両方実行してもよいし、どちらか一方を実行してもよい。
【００３２】
３段階のＯＰＣはファインＯＰＣであり、ラフＯＰＣで決められた記録パワーを中心と
して上下限の範囲を狭めて、記録パワーの変化量を小さくして記録パワーを微調整するも
のである。その際２段階で決められたＴＩＬＴ量とＦＢＡＬ量を使用する。ファインＯＰ
Ｃにおいても記録パワーを変化させながら、エリア１−３に全部で２ＥＣＣブロック試し
書きする。記録した後でこのデータを読み出し、再生データからファインＯＰＣにおける
記録パワーの最適値を決定する。ファインＯＰＣで決定した記録パワーが最終的な記録パ
ワーとなる。
【００３３】
以上の例では１回のＯＰＣで６ＥＣＣブロックを記録する。２回目のＯＰＣのときにも
図２（ｃ）に示すように、同じように６ＥＣＣブロックを消費する。例えば、図２（ａ）
に示すように、ＰＣＡ領域はＨＤ ＤＶＤではＰＢＡ２ＢＤ００ｈ（hexadecimal number
）から２７２００ｈであり、４ｂ００ｈの大きさがある。１ＥＣＣブロックは３２ｈ（de
cimal number）であるので、６００ＥＣＣ分の大きさとなり、１回のＯＰＣで６ＥＣＣブ
ロック消費すると、ＯＰＣ１００回分に相当する。従って１００回ＯＰＣを実行するとＰ
ＣＡ領域を使い切ってしまうことになる。
【００３４】
図３は、本発明の実施例によるＯＰＣを実行するときのＰＣＡ領域の使用状態を示す図
である。１回目のＯＰＣを示す図３（ｂ）は図２（ｂ）と同様である。しかしながら、図
３（ｃ）に示すように、２回目のＯＰＣでは、ＴＩＬＴ／ＦＢＡＬ調整における記録を省
略し、ＴＩＬＴ／ＦＢＡＬ調整は１回目に記録したデータを用いて調整することとした。
ＴＩＬＴ／ＦＢＡＬ調整は一定の記録パワーで記録されたデータを再生すればよいので１
回目のＯＰＣにおける記録領域（エリア１−２）を再利用することができる。ファインＯ
ＰＣは図２（ｃ）と同様に２ＥＣＣブロック記録する。こうすることで、２回目以降のＯ
ＰＣでは、４ＥＣＣブロックの消費で済むことになり、理論的には１４９回ＯＰＣが可能
となる。なお、ＴＩＬＴ調整とＦＢＡＬ調整については、両方実行してもよいし、どちら
か一方を実行してもよい。
【００３５】
以上のように、２回目以後のＴＩＬＴ／ＦＢＡＬ調整においては、１回目で記録した記
録領域を再利用することによってＰＣＡ領域の消費を削減し、ＰＣＡ領域を有効に使用す
ることができ、ＯＰＣの実行回数を増大させることができる。
【００３６】
図４は、本発明の実施例によるＯＰＣの動作フローを示す図である。ラフＯＰＣの後の
ＴＩＬＴ／ＦＢＡＬ調整において、１回目で記録した記録領域を再利用することとしたが
、例えば、１回目のＯＰＣが別の光ディスク装置によって記録された可能性や異なるメー
カの光ディスク装置で使用された可能性が考えられ、ＴＩＬＴ／ＦＢＡＬ調整に適した記
録領域が有るかどうか不明である。従ってＴＩＬＴ／ＦＢＡＬ調整に相応しい記録状態が
ＰＣＡ領域に有るかどうかを調査し、有ればその記録領域を用いてＴＩＬＴ／ＦＢＡＬ調
整し、無ければ新たにデータを記録し、その記録されたデータを用いてＴＩＬＴ／ＦＢＡ
Ｌ調整する。
【００３７】
Ｓ４０において、ＣＰＵ２４はラフＯＰＣを開始する。ラフＯＰＣにおける記録パワー
の最適値を一旦決定する。Ｓ４１において、ラフＯＰＣを終了する。Ｓ４２において、Ｔ
ＩＬＴ／ＦＢＡＬ調整のためのβ値一定の領域の探索を開始する。ＣＰＵ２４が、β値測
定回路１９から送信されたデータに基づいて探索する。
【００３８】
β値は、ＲＦ信号の上下のアンバランスの程度を示す値であり、再生信号品位を評価す
る際に利用されている。β値は、ＲＦ信号をＡＣ結合したときのエンベロープのピーク電
圧をＡ、ＲＦ信号のエンベロープのボトム電圧をＢとすると、β＝（Ａ−Ｂ）／（Ａ＋Ｂ
）で算出される。通常β≒０のときにアンバランスが小さく、再生信号品位がよいとされ
、ＯＰＣの一つの指標としても使われている。
【００３９】
Ｓ４３において、ＰＣＡ領域に２ＥＣＣブロック以上の長さでβ値が５％以内の変化に
収まっていれば、β値が一定の領域と判定し、一定の記録パワーで記録されていると判定
する。β値一定領域が有ると判定された場合にはＳ４４へ移る。Ｓ４４において、β値一
定領域においてＴＩＬＴ／ＦＢＡＬ調整を実行し、最適なＴＩＬＴ量、ＦＢＡＬ量を決定
する。Ｓ４５において、ＴＩＬＴ／ＦＢＡＬ調整を終了する。
【００４０】
Ｓ４６において、ＣＰＵ２４はファインＯＰＣを開始する。ファインＯＰＣで最終的な
最適記録パワーを決定する。Ｓ４７においてファインＯＰＣを終了し、ＯＰＣを終了する
。
【００４１】
Ｓ４３において、β値一定領域が無いと判定された場合にはＳ４８へ移る。Ｓ４８にお
いて、ラフＯＰＣにて決定された記録パワーでＰＣＡ領域に２ＥＣＣブロック記録する。
Ｓ４９において、Ｓ４８で記録したデータのβ値を測定し、β値が一定の範囲にあるか判
定する。β値が５％以内の変化に収まっていれば、β値が一定であると判定し、Ｓ４４へ
移る。β値が５％以内の変化に収まっていなければ、Ｓ５０へ移る。Ｓ５０において、Ｏ
ＰＣ異常として処理する。ＰＣＡ領域にβ値が一定となるように記録できない状態である
ために異常とする。
【００４２】
以上のように、ＴＩＬＴ／ＦＢＡＬ調整に相応しい記録状態がＰＣＡ領域に有るかどう
かを調査し、有ればその記録領域を用いてＴＩＬＴ／ＦＢＡＬ調整し、無ければ新たにデ
ータを記録し、その記録されたデータを用いてＴＩＬＴ／ＦＢＡＬ調整することによって
、ＰＣＡ領域の消費を削減し、ＰＣＡ領域を有効に使用することができ、ＯＰＣの実行回
数を増大させることができる。
【００４３】
図５は、光ディスクの外周付近におけるＴＩＬＴ／ＦＢＡＬ調整の動作フローを示す図
である。光ディスク２の外周領域は反りの影響や記録膜の内外周感度差などから記録品位
が安定しないことがある。その対策として外周付近でＯＰＣを実行することが考えられる
が、外周のＯＰＣ領域は範囲が内周に比較して小さいため、内周側におけるＯＰＣと同じ
方法を取ると、ＯＰＣの実行回数が少なくなり、光ディスク全体としてＯＰＣの実行回数
が制限されることになる。
【００４４】
本実施例においては、外周のＯＰＣエリアではラフＯＰＣやファインＯＰＣは行わず、
ＴＩＬＴ／ＦＢＡＬ調整だけを行う。ＴＩＬＴ／ＦＢＡＬ調整だけでも記録品位の安定化
に寄与することができる。外周においても、ＴＩＬＴ／ＦＢＡＬ調整に相応しい記録状態
がＯＰＣ領域に有るかどうかを調査し、有ればその記録領域を用いてＴＩＬＴ／ＦＢＡＬ
調整し、無ければ新たにデータを記録し、その記録されたデータを用いてＴＩＬＴ／ＦＢ
ＡＬ調整を行う。
【００４５】
Ｓ６０において、外周のＯＰＣ領域へシークする。Ｓ６１において、ＴＩＬＴ／ＦＢＡ
Ｌ調整のためのβ値一定の領域を探索を開始する。ＣＰＵ２４が、β値測定回路１９から
送信されたデータに基づいて探索する。
【００４６】
Ｓ６２において、ＰＣＡ領域に２ＥＣＣブロック以上の長さでβ値が５％以内の変化に
収まっていれば、β値が一定の領域と判定し、一定の記録パワーで記録されていると判定
する。β値一定領域が有ると判定された場合にはＳ６３へ移る。Ｓ６３において、β値一
定領域においてＴＩＬＴ／ＦＢＡＬ調整を実行し、外周付近における最適なＴＩＬＴ量、
ＦＢＡＬ量を決定する。Ｓ６４において、ＴＩＬＴ／ＦＢＡＬ調整を終了する。
【００４７】
Ｓ６２において、β値一定領域が無いと判定された場合にはＳ６５へ移る。Ｓ６５にお
いて、内周側のファインＯＰＣにおいて決定された記録パワーで外周ＯＰＣ領域に２ＥＣ
Ｃブロック記録する。Ｓ６６において、Ｓ６５で記録したデータのβ値を測定し、β値が
一定の範囲にあるか判定する。β値が５％以内の変化に収まっていれば、β値が一定であ
ると判定し、Ｓ６３へ移ってＴＩＬＴ／ＦＢＡＬ調整を実行する。β値が５％以内の変化
に収まっていなければ、Ｓ６７へ移る。Ｓ６７において、ＴＩＬＴ／ＦＢＡＬ調整異常と
して処理する。外周ＯＰＣ領域にβ値が一定となるように記録できない状態であるために
異常とする。
【００４８】
以上のように、外周のＯＰＣ領域においてＴＩＬＴ／ＦＢＡＬ調整に相応しい記録状態
がＰＣＡ領域に有るかどうかを調査し、有ればその記録領域を用いてＴＩＬＴ／ＦＢＡＬ
調整し、無ければ新たにデータを記録し、その記録されたデータを用いてＴＩＬＴ／ＦＢ
ＡＬ調整することによって、外周のＯＰＣ領域の消費を削減し有効に使用することができ
る。
【図面の簡単な説明】
【００４９】
【図１】本発明の実施例に係る光ディスク装置を示すブロック図。
【図２】ＯＰＣを実行するときのＰＣＡ領域の使用状態の一例を示す図。
【図３】本発明の実施例によるＯＰＣを実行するときのＰＣＡ領域の使用状態を示す図。
【図４】ＯＰＣの動作フローを示す図。
【図５】光ディスクの外周付近におけるＴＩＬＴ／ＦＢＡＬ調整の動作フローを示す図。
【符号の説明】
【００５０】
１  光ディスク装置
２  光ディスク
５  光ピックアップ
６  対物レンズ
１０  レーザ制御回路
１１  レーザダイオード
１６  ＲＦアンプ
１７  Ａ／Ｄ変換回路
１８  フォーカス・トラッキング・チルト制御回路
１９  β値測定回路
２４  ＣＰＵ
２４ａ  記録パワー決定手段
【図１】
2009289353.tif 000003
【図２】
2009289353.tif 000004
【図３】
2009289353.tif 000005
【図４】
2009289353.tif 000006
【図５】
2009289353.tif 000007